(57)【特許請求の範囲】
【請求項１】
吸気流を発生する電動送風機及び吸気流で塵埃を吸い込む吸込口の間に設けられていて、塵埃を集塵する集塵袋を収容する集塵室と、一部が該集塵室の前記電動送風機側に支持されており、前記電動送風機側から前記吸込口側へ回動することで前記集塵室に収容された集塵袋を圧縮する圧縮板とを備える電気掃除機において、
前記圧縮板は、
該圧縮板の回動中心に対して略垂直な方向に長い複数の通気孔と、
前記吸込口側の面よりも前記電動送風機側に、一端部を有し、前記吸込口から前記電動送風機へ吸気流を案内する案内傾斜板と
を備えることを特徴とする電気掃除機。
【請求項２】
前記圧縮板は、
板状部分と、
前記集塵室に支持されている被支持部と、
該被支持部及び前記板状部分を連結していて、前記板状部分を前記吸込口側へ回動させるように撓む連結部と
を備えることを特徴とする請求項１に記載の電気掃除機。
【請求項３】
前記集塵室は、
前記圧縮板を挿脱可能に支持する凹状又は凸状の支持部を備える
ことを特徴とする請求項１又は請求項２に記載の電気掃除機。
【請求項４】
前記圧縮板及び前記案内傾斜板は、一体成形されている
ことを特徴とする請求項１から請求項３のいずれか一つに記載の電気掃除機。
【発明の詳細な説明】
【技術分野】
【０００１】
本発明は、集塵した塵埃を圧縮する機構を有する電気掃除機に関する。
【背景技術】
【０００２】
図１１は、従来の塵埃圧縮機構が設けられた電気掃除機の略示平面断面図である。該電気掃除機は、吸気流を発生する電動送風機２を後部に配した筐体３０１を備え、筐体３０１は、電動送風機２により発生した吸気流で塵埃を吸い込む吸込口３０３、及び吸込口３０３から吸い込まれた塵埃を集塵する集塵袋４を収容するための集塵室３０５を備えている。集塵室３０５には、集塵袋４を圧縮するための圧縮板３０６が設けられている。
【０００３】
図１２は、従来の電気掃除機が備える圧縮板３０６の略示正面図、図１３は、圧縮板３０６の略示側断面図である。圧縮板３０６は、略長方形であり一辺側に回動軸８を備えている。回動軸８は、圧縮板３０６が電動送風機側２から吸込口３０３側へ回動するように、電気掃除機の筐体３０１の底面部に形成された軸受９によって回動可能に支持されている。また、圧縮板３０６は、吸気流を通すために、格子状に形成された通気孔３６０ｆを備えている。
【０００４】
このように構成された電気掃除機においては、集塵袋４に集塵された塵埃を圧縮することにより、圧縮板３０６を備えない電気掃除機に比べて、より多くの塵埃を集塵袋４に集塵することができる。
【特許文献１】特開平８−５１４号公報
【発明の開示】
【発明が解決しようとする課題】
【０００５】
しかしながら、従来の電気掃除機においては、圧縮板３０６が回動して集塵袋４を圧縮する場合、格子状の通気孔３６０ｆを有する圧縮板３０６と集塵袋４とが擦れ合い、通気孔３６０ｆの格子状部分が集塵袋４に引っ掛かり、集塵袋４が破損する虞があった。
【０００６】
本発明は、斯かる事情に鑑みてなされたものであり、その目的は、圧縮板の回動中心に対して略垂直な方向に長い複数の通気孔を備えることにより、格子状に形成された通気孔を備える電気掃除機に比べて、圧縮板が集塵袋の表面を滑らかに摺動することができ、集塵袋の破損を招くことなく、集塵袋を圧縮することができ、更に圧縮板の吸込口側の面よりも電動送風機側に、一端部を有し、吸込口から電動送風機へ、吸気流を案内する案内傾斜板を圧縮板に備えることにより、集塵袋を圧縮する際に案内傾斜板が集塵袋に引っ掛かることなく、しかも吸気流が吸込口から電動送風機へ滞りなく流れるようにすることができる電気掃除機を提供することにある。
【０００７】
また、本発明の他の目的は、圧縮板を、板状部分、集塵室に支持される被支持部、及び被支持部及び板状部分を連結して、板状部分を吸込口側へ回動させるように撓む連結部によって構成することにより、従来の電気掃除機に比べて、圧縮板の回動機構をより簡単に構成することができる電気掃除機を提供することにある。
【０００８】
更に、本発明の他の目的は、圧縮板を集塵室に挿脱可能に支持する凹状又は凸状の支持部を備えることにより、使用者は、電気掃除機の集塵室又は圧縮板を清掃する際に圧縮板を容易に着脱することができる電気掃除機を提供することにある。
【００１０】
更にまた、本発明の他の目的は、圧縮板に案内傾斜板を一体成形することにより、吸気流を吸込口から電動送風機へ案内可能な案内傾斜板を低コストで構成することができる電気掃除機を提供することにある。
【課題を解決するための手段】
【００１１】
本発明に係る電気掃除機は、吸気流を発生する電動送風機及び吸気流で塵埃を吸い込む吸込口の間に設けられていて、塵埃を集塵する集塵袋を収容する集塵室と、一部が該集塵室の前記電動送風機側に支持されており、前記電動送風機側から前記吸込口側へ回動することで前記集塵室に収容された集塵袋を圧縮する圧縮板とを備える電気掃除機において、前記圧縮板は、該圧縮板の回動中心に対して略垂直な方向に長い複数の通気孔と、前記吸込口側の面よりも前記電動送風機側に、一端部を有し、前記吸込口から前記電動送風機へ吸気流を案内する案内傾斜板とを備えることを特徴とする。
【００１２】
本発明にあっては、圧縮板が回動した場合、圧縮板の通気孔部分及び集塵袋が擦れ合う。
ところが、通気孔は、圧縮板の回動中心に対して略垂直な方向に長い長孔であるため、圧縮板及び集塵袋が擦れ合った場合であっても、通気孔の縁に沿うようにして集塵袋及び圧縮板が擦れ合う。従って、圧縮板が集塵袋に引っ掛かり、集塵袋が破損することはない。
また、圧縮板の通気孔を通る吸気流は、案内傾斜板によって、吸込口から電動送風機へ案内されるため、吸込口から電動送風機への吸気流が滞ることを防ぐことができる。
更に、案内傾斜板の吸込口側の端部は、圧縮板の吸込口側の面よりも電動送風機側に位置しているため、圧縮板が回動して集塵袋を圧縮する際に、案内傾斜板が集塵袋に引っ掛かることはない。
【００１３】
本発明に係る電気掃除機は、前記圧縮板が、板状部分と、前記集塵室に支持されている被支持部と、該被支持部及び前記板状部分を連結していて、前記板状部分を前記吸込口側へ回動させるように撓む連結部とを備えることを特徴とする。
【００１４】
本発明にあっては、圧縮板の被支持部が集塵室に支持されていて、被支持部及び板状部分が連結部によって、連結されている。板状部分は、連結部が撓むことにより、吸込口側へ回動する。従って、回動軸及び軸受によって、圧縮板を集塵室に回動自在に支持する構成を有する電気掃除機に比べて、簡単な構成で、圧縮板の回動機構を構成することができる。
【００１５】
本発明に係る電気掃除機は、前記集塵室が、前記圧縮板を挿脱可能に支持する凹状又は凸状の支持部を備えることを特徴とする。
【００１６】
本発明にあっては、集塵室に備えられた凹状又は凸状の支持部によって、圧縮板が支持されており、圧縮板及び支持部は、挿脱可能に構成されている。従って、圧縮板を支持部から引き抜くことで、圧縮板を集塵室から取り外すことができ、圧縮板を支持部に、又は支持部を圧縮板に挿入することで、圧縮板を集塵室に取り付けることができる。
【００１９】
本発明に係る電気掃除機は、前記圧縮板及び前記案内傾斜板が、一体成形されていることを特徴とする。
【００２０】
本発明にあっては、圧縮板に案内傾斜板が一体成形されているため、案内傾斜板を別体で製造し、案内傾斜板を圧縮板に備える場合に比べて、低コストで電気掃除機を構成することができる。また、電気掃除機の製造工程において、案内傾斜板を圧縮板に取り付ける手間を要しない。
【発明の効果】
【００２１】
本発明によれば、格子状に形成された通気孔を備える電気掃除機に比べて、圧縮板が集塵袋の表面を滑らかに摺動することができ、集塵袋の破損を招くことなく、集塵袋を圧縮することができる。
また、案内傾斜板が集塵袋に引っ掛かることなく、しかも吸気流が吸込口から電動送風機へ滞りなく流れるようにすることができる。
【００２２】
本発明によれば、圧縮板の回動軸を集塵室に形成された軸受が支持する従来の電気掃除機に比べて、圧縮板の回動機構をより簡単に構成することができる。
【００２３】
本発明によれば、使用者は、電気掃除機の集塵室又は圧縮板を清掃する際に圧縮板を容易に着脱することができる。
また、従来の電気掃除機においては、上方へ引っ張られた圧縮板と共に電気掃除機の筐体が持ち上がり、筐体が持ち上がった状態で圧縮板が集塵室から外れた場合、筐体が落下し、電気掃除機が故障する虞があったが、本発明によれば、簡易に圧縮板を着脱することができるため、圧縮板と共に筐体が持ち上げられて、落下することはなく、電気掃除機の落下事故を防ぐことができる。
【００２５】
本発明によれば、吸気流を吸込口から電動送風機へ案内可能な圧縮板を備えた電気掃除機を、案内傾斜板を別体で備える場合に比べて、低コストで構成することができる。
【発明を実施するための最良の形態】
【００２６】
以下、本発明をその実施の形態を示す図面に基づいて詳述する。
（実施の形態１）
図１は、本発明の実施の形態１に係る電気掃除機の略示側断面図である。
【００２７】
図中１は、中空の筐体であり、筐体１は、中央部分に円形の吸込口３を有する正面壁５ｂ、背面壁１ａ、及び正面側と背面側とを仕切る仕切板５ｃを形成していて、筐体１の仕切板５ｃより背面側に電動送風機２を備えている。
【００２８】
電動送風機２は、筐体１の吸込口３から塵埃を吸い込むための吸気流を発生させるファン及び該ファンを回転させるモータを備えている。仕切板５ｃ及び背面壁１ａには、夫々通気用のスリット及び排気スリットが複数形成されており、電動送風機２によって発生した吸気流が筐体１の正面側から背面側へ通過し、そして背面壁１ａの排気スリットから排気されるように構成されている。
【００２９】
また、筐体１の吸込口３と電動送風機２との間には、吸気流によって吸込口３に吸い込まれた塵埃を集塵する集塵袋４を収容する集塵室５が形成されている。
より具体的には、集塵室５は、底面部５ａ、底面部５ａの正面側及び背面側に略垂直に形成されている正面壁５ｂ及び仕切板５ｃ、並びに底面部５ａの両側に略垂直に形成された両側壁５ｄによって構成されており、上側には、集塵袋４を集塵室５に着脱するための開口部が開設されている。
【００３０】
集塵袋４は、開口を有しており、吸込口３に集塵袋４の開口を対向させた状態で集塵室５に収容される。
【００３１】
集塵室５の電動送風機２側、即ち仕切板５ｃには、フィルタが取り着けられており、集塵袋４を通過した微細粉塵を捕集する。
【００３２】
また、底面部５ａの仕切板５ｃ寄りの両側部分には、圧縮板６を支持する支持部５０ａが形成されている。支持部５０ａは、底面部５ａから上方へ突出した角柱部分を有し、角柱部分の上端には、圧縮板６を支持する支持穴が形成されている。支持穴は、平面視が略矩形の穴である。
【００３３】
図２は、吸込口３側から見た圧縮板６の模式図、図３は、圧縮板６の略示側断面図である。
圧縮板６は、支持部５０ａに挿脱可能に挿嵌する被支持部としての挿嵌凸部６２を有している。挿嵌凸部６２は、可撓性の連結部６１を介して、略長方形をなす板状部分６０の一辺６０ａの両端側に、合成樹脂にて一体成形されている。
【００３４】
板状部分６０の横方向及び縦方向の長さは、集塵室５の横方向及び縦方向の長さと略同一、つまり集塵室５に対して回動することで、集塵袋４を背面側から吸込口３側へ圧縮するために必要な長さである。また、板状部分６０の一辺６０ａ側には、圧縮板６を仕切板５ｃ側へ付勢する図示しないねじりコイルばねが設けられている。
【００３５】
板状部分６０は、板状部分６０の側辺６０ｅに略平行な方向に長い複数の通気孔６０ｆを備えており、通気孔６０ｆは、集塵室５に収容された集塵袋４に接触する範囲に、板状部分６０の一辺６０ａに沿って等間隔で並ぶように形成されている。
図１に示すように、支持部５０ａに挿嵌凸部６２が挿嵌している場合、板状部分６０は、集塵室５に収容された集塵袋４に対向し、圧縮板６の板状部分６０に形成された通気孔６０ｆは吸込口３及び電動送風機２側を向く。
【００３６】
図４は、連結部６１の略示側断面図である。連結部６１は、板状部分６０の一辺６０ａの両端から、側辺６０ｅに略平行な方向へ突出していて、板状部分６０に比べて薄肉であり、可撓性を有している。連結部６１は、吸込口３側から見て矩形状であり、板状部分６０と挿嵌凸部６２とを連結し、板状部分６０を回動可能に支持することができる寸法を有している。
【００３７】
挿嵌凸部６２は、連結部６１の先から、板状部分６０及び連結部６１の側辺６０ｅに略平行な方向へ突出していて、支持部５０ａに挿嵌した場合、締り嵌めの状態になる凸状の形状をなしている。また挿嵌凸部６２は、支持部５０ａへの挿嵌が容易になるように、連結部６１側から先端部にかけて寸法が小さく形成されている。
【００３８】
また、圧縮板６は、吸気流を吸込口３から電動送風機２へ案内する案内傾斜板６０ｇを備えている。
図５は、圧縮板６に備えられた案内傾斜板６０ｇの略示斜視図、図６は、案内傾斜板６０ｇを示す圧縮板６の略示部分側断面図である。
案内傾斜板６０ｇは、通気孔６０ｆの両内側面に一辺の各頂点が固定されていて、吸込口３から電動送風機２側へ倣うように、電動送風機２側斜め上方へ上り傾斜した略長方形の板状部材からなる。案内傾斜板６０ｇの一辺は、板状部分６０の吸込口３側の面６０ｃより電動送風機２側に固定されていて、集塵室５に収容された集塵袋４が接触しないようにしてある。案内傾斜板６０ｇの横幅は、通気孔６０ｆの横幅と略同一長である。
案内傾斜板６０ｇの一辺に略平行な他辺は、板状部分６０の電動送風機２側の面６０ｄより電動送風機２側にあり、一辺と他辺との幅は、吸気流を電動送風機２へ案内するために十分な幅を有している。
案内傾斜板６０ｇは、各通気孔６０ｆに３枚ずつ、板状部分６０の他辺６０ｂ側に等間隔で、板状部分６０と共に一体成形されている。
【００３９】
また、圧縮板６は、板状部分６０の他辺６０ｂの略中央部に、圧縮板６を吸込口３側へ回動させる駆動力を伝達する駆動力伝達部材７０が当接する被当接部６０ｈを形成している。
【００４０】
以下、圧縮板６以外の他の構成を説明する。
図１に示すように、両側壁５ｄの仕切板５ｃ寄りの上側部分には、開口部を閉塞する蓋体１０が両側壁５ｄに略垂直な回動軸によって回動自在に支持されている。開口部を閉塞した状態で、蓋体１０の横方向略中央部、背面側には、筐体１の外側に臨む圧縮釦７１及び圧縮釦７１に加えられた押圧力を、圧縮板６を回動させる駆動力として伝達する駆動力伝達部材７０を収容するための伝達部材収容部１１を形成している。
【００４１】
駆動力伝達部材７０は、筐体１の側面視が略Ｖ字状であり、圧縮釦７１を介して外側から押圧される矩形状の被押圧板部７０ｂと、圧縮板６の被当接部６０ｈに背面側から当接する矩形状の当接板部７０ａとを有している。駆動力伝達部材７０の稜線部分は、伝達部材収容部１１の内側に、横方向の回動軸７０ｃで回動自在に枢支されている。
【００４２】
伝達部材収容部１１は、蓋体１０の裏側から下方に凸設された板部、及び該板部の下端から吸込口３側に屈曲しており、駆動力伝達部材７０の被押圧板部７０ｂを上側に付勢するコイルばね７２の一端を支持する支持板を有する鉤状部分を形成している。コイルばね７２の他端は、圧縮された状態で、被押圧板部７０ｂの裏側に当接している。そして、圧縮釦７１が蓋体１０の上面に対して略平行の位置にある場合、当接板部７０ａは、鉤状部分の先端に当接し、係止される。
【００４３】
上述のように構成された電気掃除機にあっては、電動送風機２が駆動した場合、電動送風機２により発生された吸気流とともに、吸込口３から吸い込まれた塵埃は、集塵袋４の背面側内面に衝突し、該内面に沿って上方及び下方へ移動し、更に正面側へ移動して、集塵袋４内の上側及び下側に溜まる。
【００４４】
圧縮釦７１を、図１に示すように筐体１外部から下方へコイルばね７２の弾性力に抗して押圧した場合、駆動力伝達部材７０の当接板部７０ａは正面側に回動し、当接板部７０ａに当接する圧縮板６の板状部分６０も正面側に回動する。そして、集塵袋４は、正面側に回動する圧縮板６によって圧縮され、集塵袋４内の塵埃は正面側に圧縮される。
【００４５】
圧縮板６が吸込口３側へ回動して、集塵袋４が圧縮される場合、圧縮板６及び集塵袋４は、擦れ合うが、通気孔６０ｆは、板状部分６０の回動中心に対して略垂直な方向に長い長孔であるため、圧縮板６の通気孔６０ｆ部分が集塵袋４に引っ掛かり、集塵袋４が破損する虞なく、集塵袋４を圧縮することができる。
【００４６】
圧縮釦７１の押圧を解いた場合、駆動力伝達部材７０は、コイルばね７２の付勢力によって筐体１の外側方向に回動し、圧縮板６は、ねじりコイルばねの付勢力によって電動送風機２側に回動して、圧縮前の状態に戻る。
【００４７】
図７及び図８は、集塵室５へ挿脱された状態での圧縮板６及び支持部５０ａの略示側断面図である。
圧縮板６は、挿嵌凸部６２が、集塵室５の支持部５０ａに挿脱可能に挿嵌しているため、図７に示すように、圧縮板６を上方へ引っ張ることで、従来の電気掃除機に比べて、圧縮板６を集塵室５から簡易に取り外すことができる。
また、図８に示すように、圧縮板６の挿嵌凸部６２を集塵室５の支持部５０ａに挿嵌することで、従来の電気掃除機に比べて、圧縮板６を集塵室５に簡易取り付けることができる。
【００４８】
従って、電気掃除機の使用者は、集塵室５又は圧縮板６を清掃する際に、簡易に圧縮板６を着脱することができる。
【００４９】
また、従来の電気掃除機においては、上方へ引っ張られた圧縮板６と共に筐体１が持ち上がり、筐体１が持ち上がった状態で圧縮板６が集塵室５から外れた場合、筐体１が落下し、電気掃除機が故障する虞があったが、実施の形態１によれば、圧縮板６を上方へ引っ張ることで、簡易に圧縮板６を着脱することができるため、圧縮板６と共に筐体１が持ち上げられて、筐体１が落下するという事故を防ぐことができる。
【００５０】
更に、製造工程において、圧縮板６の挿嵌凸部６２を支持部５０ａに挿入することで、圧縮板６を簡易に集塵室５に取り付けることができるため、回動軸及び軸受を備える従来の電気掃除機に比べて、効率的に電気掃除機を組み立てることができる。
【００５１】
また、実施の形態１にあっては、圧縮板６は、可撓性を有する連結部６１によって、回動可能に構成されており、また圧縮板６、挿嵌凸部６２、及び連結部６１は、一体成形されているため、回動軸及び軸受を備える従来の電気掃除機に比べて、簡単な構成で電気掃除機を構成することができる。
【００５２】
更に、電動送風機２によって発生した吸気流は、案内傾斜板６０ｇによって吸込口３から電動送風機２へ案内されるため、吸込口３から電動送風機２への吸気流が滞ることはなく、滑らかに流動する。
【００５３】
更にまた、案内傾斜板６０ｇの吸込口３側の端部は、圧縮板６の吸込口３側の面６０ｃよりも電動送風機２側に位置しているため、集塵袋４に案内傾斜板６０ｇが引っ掛かり、集塵袋４が破損することを防ぐことができる。
【００５４】
更にまた、圧縮板６の、板状部分６０、挿嵌凸部６２、連結部６１、及び案内傾斜板６０ｇは、一体成形されているため、低コストで電気掃除機を構成することができる。
【００５５】
（実施の形態２）
実施の形態２に係る電気掃除機は、圧縮板１０６と集塵室１０５の着脱に係る構成のみが実施の形態１とは異なるため、以下では主に上記相違点について説明する。
【００５６】
図９は、実施の形態２における電気掃除機が備える集塵室１０５へ挿入された圧縮板１０６の略示側断面図である。
実施の形態２に係る電気掃除機の集塵室１０５には、実施の形態１と同様の箇所、つまり底面部１０５ａの仕切板寄りの両側部分には、圧縮板１０６を支持するために、上方へ突出している凸状の支持部１５０ａが形成されている。
【００５７】
そして、圧縮板１０６は、実施の形態１の挿嵌凸部に代えて、支持部１０５ａが挿嵌する被支持部としての凹部１６２を形成している。
【００５８】
実施の形態２に係る電気掃除機にあっては、実施の形態１と同様に使用者は、集塵室１０５及び圧縮板１０６を清掃する際に、簡易に圧縮板１０６を着脱することができる。また、筐体１の落下を防止することができる。
【００５９】
更に、集塵室１０５には、凸状の支持部１５０ａが形成されているため、圧縮板１０６を集塵室１０５から取り外して、集塵室１０５を清掃する場合、凹状の支持部を備える電気掃除機に較べて、容易に集塵室１０５を清掃することができる。
【００６０】
実施の形態２に係る電気掃除機の圧縮板１０６及び支持部１５０ａ以外の他の構成、作用及び効果は、実施の形態１に係る電気掃除機の構成、作用及び効果と同様であるため、対応する箇所には同様の符号を付してその詳細な説明を省略する。
【００６１】
（実施の形態３）
実施の形態３に係る電気掃除機は、圧縮板２０６の構成のみが実施の形態１とは異なるため、以下では主に上記相違点について説明する。
図１０は、実施の形態３に係る電気掃除機が備える圧縮板２０６の略示斜視図である。
実施の形態３に係る電気掃除機の圧縮板２０６は、実施の形態１と同様に、通気孔６０ｆ及び案内傾斜板６０ｇを形成した板状部分６０、連結部６１、及び挿嵌凸部６２を備えている。
圧縮板２０６は、集塵袋４を効果的に圧縮するために、各通気孔２０６の通気孔６０ｆの内側に横方向の条体２０６ｉ、つまり一辺６０ａに略平行な条体２０６ｉを複数備えている。条体２０６ｉは略円柱状であり、条体２０６ｉの吸込口３側の端面は、板状部分６０の吸込口３側の面６０ｃよりも電動送風機２側に位置している。また、条体２０６ｉ及び板状部分６０は一体成形されている。
【００６２】
実施の形態３に係る電気掃除機にあっては、圧縮板２０６の通気孔６０ｆ内側に条体２０６ｉが形成されているため、集塵袋４を圧縮板２０６によって、より効果的に圧縮することができる。
【００６３】
また、条体２０６ｉは、板状部分６０の吸込口３側の面６０ｃよりも電動送風機２側に位置しているため、圧縮板２０６が回動して、集塵袋４を圧縮する場合に条体２０６ｉが集塵袋４に引っ掛かる虞はなく、集塵袋４が破損することはない。
【００６４】
更に、条体２０６ｉを円柱状に形成しているため、角柱状に形成した条体に比べて、圧縮板２０６の条体２０６ｉが集塵袋４に引っ掛かりにくく、集塵袋４をより効果的に圧縮することができる。
【００６５】
実施の形態３に係る電気掃除機の圧縮板２０６以外の他の構成、作用及び効果は、実施の形態１に係る電気掃除機の構成、作用及び効果と同様であるため、対応する箇所には同様の符号を付してその詳細な説明を省略する。
【図面の簡単な説明】
【００６６】
【図１】本発明の実施の形態１に係る電気掃除機の略示側断面図である。
【図２】吸込口側から見た圧縮板の模式図である。
【図３】圧縮板の略示側断面図である。
【図４】連結部の略示側断面図である。
【図５】圧縮板に備えられた案内傾斜板の略示斜視図である。
【図６】案内傾斜板を示す圧縮板の略示部分側断面図である。
【図７】集塵室へ挿脱された状態での圧縮板の略示側断面図である。
【図８】集塵室へ挿脱された状態での圧縮板の略示側断面図である。
【図９】実施の形態２における電気掃除機が備える集塵室へ挿入された圧縮板の略示側断面図である。
【図１０】実施の形態３に係る電気掃除機が備える圧縮板の略示斜視図である。
【図１１】従来の塵埃圧縮機構が設けられた電気掃除機の略示平面断面図である。
【図１２】従来の電気掃除機が備える圧縮板の略示正面図である。
【図１３】圧縮板の略示側断面図である。
【符号の説明】
【００６７】
１  筐体
１ａ  背面壁
２  電動送風機
３  吸込口
４  集塵袋
５  集塵室
５ａ  底面部
５ｂ  正面壁
５ｃ  仕切板
５ｄ  側壁
６  圧縮板
１０  蓋体
１１  伝達部材収容部
５０ａ  支持部
６０ａ  一辺
６０ｂ  他辺
６０ｅ  側辺
６０ｆ  通気孔
６０ｇ  案内傾斜板
６０ｈ  被当接部
６０  板状部分
６１  連結部
６２  挿嵌凸部
７０  駆動力伝達部材
７０ａ  当接板部
７０ｂ  被押圧板部
７１  圧縮釦
７２  コイルばね
【図１】
0004549276.tif 000002
【図２】
0004549276.tif 000003
【図３】
0004549276.tif 000004
【図４】
0004549276.tif 000005
【図５】
0004549276.tif 000006
【図６】
0004549276.tif 000007
【図７】
0004549276.tif 000008
【図８】
0004549276.tif 000009
【図９】
0004549276.tif 000010
【図１０】
0004549276.tif 000011
【図１１】
0004549276.tif 000012
【図１２】
0004549276.tif 000013
【図１３】
0004549276.tif 000014